(57)【要約】      （修正有）【課題】機器本体とマイク付きイヤホン等の外部の音声入力手段および音声出力手段を組合せて使用することを許容する録音装置を提供する。【解決手段】学習支援装置１０は、装置本体に設けられた本体マイク１８Ｍおよび本体スピーカ１９Ｓと、外部のイヤホンマイク（マイク付きイヤホン）２１が装置本体へ接続確立したことに応じて、本体マイク１８Ｍまたはイヤホンマイク（マイク付きイヤホン）２１のいずれかを特定する操作を受け付けるＣＰＵ１１と、を備える。【選択図】図１
2019062520.tif 000002
【特許請求の範囲】
【請求項１】
装置本体に設けられた第１の音声入力部および第１の音声出力部と、
外部の第２の音声入力部が装置本体へ接続確立したことに応じて、前記第１の音声入力部または前記第２の音声入力部のいずれかを特定する操作を受け付ける制御部と、
を備えた録音装置。
【請求項２】
前記制御部は、
前記第１の音声入力部を特定する前記操作を受け付け、且つ、前記第１の音声入力部により音声の入力を実行させるときに、前記第１の音声入力部に対応する第１の識別表示を表示部に表示させ、
前記第２の音声入力部を特定する前記操作を受け付け、且つ、前記第２の音声入力部により音声の入力を実行させるときに、前記第２の音声入力部に対応し前記第１の識別表示とは異なる第２の識別表示を前記表示部に表示させる、
請求項１に記載の録音装置。
【請求項３】
前記制御部は、
前記第１の音声入力部を特定する前記操作を受け付けた場合、前記第２の音声入力部が前記装置本体へ接続確立した状態にかかわらず、前記第２の音声入力部による音声の入力を禁止させ、前記第１の音声入力部による音声の入力を許容させる、
請求項１または請求項２に記載の録音装置。
【請求項４】
前記制御部は、
受け付けた前記操作により特定された前記音声入力部が前記第１の音声入力部および前記第２の音声入力部のいずれであるかにかかわらず、
前記第２の音声入力部が前記装置本体との接続解除状態から接続確立状態となった場合に、前記第１の音声入力部または前記第２の音声入力部のいずれかを特定する操作を受け付ける、
請求項１ないし請求項３のいずれか１項に記載の録音装置。
【請求項５】
前記制御部は、
前記第１の音声入力部を特定する前記操作を受け付けた後に、前記第２の音声入力部が前記装置本体との接続解除状態から接続確立状態となった場合に、前記第１の音声入力部または前記第２の音声入力部のいずれかをユーザに特定させる音声入力特定部を表示部に表示させ、
前記第２の音声入力部を特定する前記操作を受け付けた後に、前記第２の音声入力部が前記装置本体との接続解除状態から接続確立状態となった場合に、前記音声入力特定部を表示部に表示させない、
請求項１ないし請求項３のいずれか１項に記載の録音装置。
【請求項６】
前記制御部は、
前記第１の音声入力部または前記第２の音声入力部のいずれかを特定する前記操作を受け付けた後に、前記装置本体との接続確立状態にある外部の第２の音声出力部が当該装置本体との接続解除状態となった場合、自動的に、前記第１の音声出力部による音声の出力を許容させる、
請求項１ないし請求項５のいずれか１項に記載の録音装置。
【発明の詳細な説明】
【技術分野】
【０００１】
本発明は、ユーザの音声を機器に入力して録音する録音装置に関する。
【背景技術】
【０００２】
音声入出力手段を備えるオーディオ機器等の機器において、音声入出力用の外部接続端子にマイク付きイヤホンあるいはマイク無しイヤホンを挿すと、マイク付きイヤホンの場合は、音声入力および音声出力ともに機器本体のマイクおよびスピーカからマイク付きイヤホンのマイクおよびイヤホンへと自動的に切り替わり、マイク無しイヤホンの場合は、音声出力が機器本体のスピーカからマイク無しイヤホンへと自動的に切り替わる。
【０００３】
逆に、外部接続端子からマイク付きイヤホン等を抜くと、機器本体のマイクおよびスピーカによる音声入出力へと自動的に切り替わる。
【先行技術文献】
【特許文献】
【０００４】
【特許文献１】特開２００３−０５８９７７号公報
【発明の概要】
【発明が解決しようとする課題】
【０００５】
従来から、マイク付きイヤホンは、メーカや種類等、様々な仕様、特性のものが存在している。
【０００６】
しかしながら、ユーザが、機器本体とマイク付きイヤホン等の外部の音声入力手段および音声出力手段を任意に組合せて使用することが想定されていない。
【０００７】
本発明は、このような課題に鑑みなされたもので、機器本体とマイク付きイヤホン等の外部の音声入力手段および音声出力手段を組合せて使用することを許容する録音装置を提供することを目的とする。
【課題を解決するための手段】
【０００８】
本発明に係る録音装置は、装置本体に設けられた第１の音声入力部および第１の音声出力部と、外部にある第２の音声入力部の装置本体への挿し込みを検知した場合に、前記第１の音声入力部または前記第２の音声入力部の何れか一方の音声入力部をユーザに特定させる音声入力特定部を表示部に表示させる制御部と、を備えている。
【図面の簡単な説明】
【０００９】
【図１】本発明の録音装置の実施形態に係る学習支援装置１０の電子回路の構成を示すブロック図。
【図２】前記学習支援装置１０の本体／イヤホンマイク設定データ記憶部１２ｄに記憶される設定データと、外部接続状態データ記憶部１２ｅに記憶される外部接続の状態データとに応じた現在の音声入出力の状態と、外部接続端子２０に対する接続を変化した後の音声入出力の状態と、を対応付けて示す図。
【図３】前記学習支援装置１０のユーザ操作に応じて表示部１７に表示される本体／イヤホンマイク設定画面ＧＭｓを示す図。
【図４】前記学習支援装置１０においてイヤホンマイク２１を挿した場合に表示部１７に表示されるイヤホンマイクの設定ウインドウＷｃを示す図。
【図５】前記学習支援装置１０のユーザ操作に応じたマイク選択処理を示すフローチャート。
【図６】前記学習支援装置１０のマイク選択処理に応じてユーザ音声録音画面ＧＲ内に表示されるイヤホンマイク記号ＥＭと本体マイク記号ＢＭを示す図。
【図７】前記学習支援装置１０による発音レッスンデータ１２ｃ１に基づいた学習支援処理の一例を示す図。
【図８】変形例の前記学習支援装置１０のユーザ操作に応じたマイク選択処理を示すフローチャート。
【発明を実施するための形態】
【００１０】
以下図面により本発明の実施の形態について説明する。
【００１１】
図１は、本発明の録音装置の実施形態に係る学習支援装置１０の電子回路の構成を示すブロック図である。
【００１２】
学習支援装置１０の電子回路は、コンピュータであるＣＰＵ１１を備える。前記ＣＰＵ１１は、フラッシュＲＯＭなどの記憶部１２に予め記憶された学習支援処理プログラム１２ａ、あるいはメモリカードなどの外部記録媒体１３から記録媒体読取部１４により読み取られて前記記憶部１２に記憶された学習支援処理プログラム１２ａ、あるいは通信ネットワークＮ上のＷｅｂサーバ（ここではプログラムサーバ）３０から通信部１５を介してダウンロードされ前記記憶部１２に記憶された学習支援処理プログラム１２ａ、に従って回路各部の動作を制御する。
【００１３】
前記ＣＰＵ１１には、データ及び制御バスを介して、前記記憶部１２、記録媒体読取部１４、通信部１５を接続するほか、キー入力部１６、タッチパネル付き表示部１７、音声入力部１８、音声出力部１９、を接続する。
【００１４】
前記音声入力部１８は、ユーザ等の音声を入力する本体マイク１８Ｍ（第１の音声入力手段）を備える。
【００１５】
前記音声出力部１９は、記憶部１２に記憶されているかあるいは録音された音声データに基づく音声を出力する本体スピーカ１９Ｓ（第１の音声出力手段）を備える。
【００１６】
前記音声入力部１８および音声出力部１９は、共用の外部接続端子（ＥＸ）２０を備え、外部接続端子２０には、ユーザが必要に応じて、イヤホンマイク（マイク付きイヤホン）２１（第２の音声入力手段／第２の音声出力手段）、またはイヤホン（マイク無しイヤホン）２２（第２の音声出力手段）、または外部スピーカ２３（第２の音声出力手段）を、学習支援装置１０の外部接続端子（ＥＸ）２０へ接続する。なお、本明細書では、簡便のため、イヤホンマイク２１、またはイヤホン２２、または外部スピーカ２３をまとめて、「外部音声入出力装置」と書く場合がある。
【００１７】
ここで、学習支援装置１０の外部接続端子２０と外部音声入出力装置との接続は、音声ケーブルやuniversal serial bus（ＵＳＢ）等の有線ケーブルを介した接続であってもよいし、Bluetooth（登録商標）又はWi-Fi（登録商標）といった無線通信を介した接続であってもよい。
図１に示すように、音声ケーブルを介した接続の場合、学習支援装置１０の外部接続端子２０へ外部音声入出力装置の接続端子を物理的に挿し込むことにより、学習支援装置１０と外部音声入出力装置との接続が確立される。逆に、学習支援装置１０の外部接続端子２０から外部音声入出力装置の接続端子を物理的に引き抜くことにより、学習支援装置１０と外部音声入出力装置との接続が解除される。
【００１８】
また、ＵＳＢケーブルを介した接続の場合、外部音声入出力装置の接続端子（ＵＳＢ端子）を、学習支援装置１０の外部接続端子２０へ物理的に挿し込むことにより、学習支援装置１０と外部音声入出力装置との間で既定の通信処理が行われた後に、両者間での接続が確立される。学習支援装置１０の外部接続端子２０から外部音声入出力装置の接続端子を物理的に引き抜くことにより、学習支援装置１０と外部音声入出力装置との接続が解除される。
【００１９】
さらに、Bluetooth（登録商標）又はWi-Fi（登録商標）といった無線通信を介した接続の場合、学習支援装置１０と外部音声入出力装置とをペアリングする処理を行った後に、両者間での接続が確立される。学習支援装置１０又は外部音声入出力装置のいずれかの装置の電源を切ったり、学習支援装置１０又は外部音声入出力装置のいずれかにおいて接続解除のための操作を実行したり、電波状況に応じて学習支援装置１０と外部音声入出力装置との無線通信が途切れたりした場合に、学習支援装置１０と外部音声入出力装置との接続が解除される。
【００２０】
以下では、学習支援装置１０と外部音声入出力装置とを、音声ケーブルを介して接続する場合を例に挙げて説明を行うが、上述のように、学習支援装置１０と外部音声入出力装置との接続は、音声ケーブル以外の有線ケーブルを介した接続であってもよいし、無線通信を介した接続であってもよいことは言うまでもない。また、本明細書及び添付した図面においては、学習支援装置１０と外部音声入出力装置との接続を確立することを、学習支援装置１０へ外部音声入出力装置を挿す、挿し込む、又は装着するなどと表現する場合がある。逆に、学習支援装置１０と外部音声入出力装置との接続を解除することを、学習支援装置１０から外部音声入出力装置を抜く、引き抜く、又は外すなどと書く場合がある。
【００２１】
前記イヤホンマイク（マイク付きイヤホン）２１は、前記音声出力部１９から出力された音声を出力するイヤホン２１ｓ（第２の音声出力手段）と、ユーザ等の音声を入力するマイク２１ｍ（第２の音声入力手段）を備える。
【００２２】
前記本体スピーカ１９Ｓからの音声の出力と、前記イヤホンマイク２１のイヤホン２１ｓ、またはイヤホン２２、または外部スピーカ２３からの音声の出力とは、前記外部接続端子２０に対する前記イヤホンマイク２１、またはイヤホン２２、または外部スピーカ２３の接続確立（挿し込み）を検知したことに応じて自動的に切り替える。
【００２３】
一方、前記本体マイク１８Ｍによる音声の入力と、前記イヤホンマイク２１のマイク２１ｍによる音声の入力とは、前記外部接続端子２０に対して前記イヤホンマイク２１が接続確立（挿し込み）されているか否かにかかわらず、後述の本体／イヤホンマイク設定データ記憶部２２ｄにユーザ操作に応じて設定する［本体マイク］または［イヤホンマイク］の設定データに応じて切り替えられ、何れか一方のみによる音声の入力が排他的に選択される。
【００２４】
前記記憶部１２は、前記学習支援処理プログラム１２ａのほか、音声認識処理プログラム１２ｂも記憶し、また、学習コンテンツ記憶部１２ｃ、本体／イヤホンマイク設定データ記憶部１２ｄ、外部接続状態データ記憶部１２ｅ、録音音声データ記憶部１２ｆ、判定結果データ記憶部１２ｇ、および表示データ記憶部１２ｈ、を備える。
【００２５】
前記学習支援処理プログラム１２ａとしては、本学習支援装置１０の全体の動作を司るシステムプログラム、前記通信部１５を介して外部の電子機器と通信接続するためのプログラム、および前記音声認識処理プログラム１２ｂと併せて前記学習コンテンツ記憶部１２ｃに記憶されている学習コンテンツデータに応じた学習機能を実行するためのプログラムなどを記憶する。
【００２６】
前記学習コンテンツ記憶部１２ｃは、例えば、発音レッスンデータ１２ｃ１、応対レッスンデータ１２ｃ２、等の学習コンテンツデータを記憶する。
【００２７】
前記発音レッスンデータ１２ｃ１は、例えば、発音レッスンの模範となる単語と文章に対応するテキストデータと音声データを有し、単語または文章のテキストデータを表示部１７に表示させ、音声データを音声出力部１９から出力した後に、音声入力部１８から入力したユーザの音声データを解析し、発音の質等の判定結果を表示部１７に表示させる機能を有する。
【００２８】
前記応対レッスンデータ１２ｃ２は、例えば、応対レッスンの模範となる相手と自分に対応するテキストデータと音声データを有し、相手の質問等のテキストデータを表示部１７に表示させ、音声データを音声出力部１９から出力した後に、音声入力部１８から入力したユーザの音声データを解析し、正誤等の判定結果を表示部１７に表示させる機能を有する。
【００２９】
なお、前記発音レッスンデータ１２ｃ１や応対レッスンデータ１２ｃ２での処理に必要なユーザの音声データを解析して判定するためのアルゴリズムは、前記本体マイク１８Ｍおよび本学習支援装置１０の純正品であるイヤホンマイク（マイク付きイヤホン）２１のマイク２１ｍの仕様、音響特性に基づき生成されている。
【００３０】
従って、前記発音レッスンや応対レッスンにおいて、ユーザの音声データを、予めその録音の仕様や音響特性が明らかである純正品の本体マイク１８Ｍあるいはイヤホンマイク２１を使用した方が、純正品ではないイヤホンマイク（マイク付きイヤホン）２１のマイク２１ｍやその他の外部マイク使用した場合に比べて、ユーザの音声データをより正確に解析することができ、ひいては、より正確な前記判定結果を求めることができる。
【００３１】
前記学習コンテンツ記憶部１２ｃは、前記発音レッスンデータ１２ｃ１や応対レッスンデータ１２ｃ２の他、ユーザが、テキストデータを読むこと、書くこと、模範の音声データを聞くこと、を必要とするが、ユーザの音声データの入力および解析を必要としない種々の学習コンテンツデータも記憶する。
【００３２】
前記本体／イヤホンマイク設定データ記憶部１２ｄは、ユーザの音声データを、前記本体マイク１８Ｍから入力するか、または前記イヤホンマイク（マイク付きイヤホン）２１のマイク２１ｍから入力するか、の設定データ［本体／イヤホンマイク］について、ユーザ操作に応じて特定して記憶する。
【００３３】
前記外部接続状態データ記憶部１２ｅは、前記外部接続端子２０における現在の接続状態を、ＣＰＵ１１により検知し、イヤホンマイク（マイク付きイヤホン）２１が接続確立されている状態（マイク付き挿し状態）、またはイヤホン（マイク無しイヤホン）２２が接続確立されている状態（マイク無し（スピーカ）挿し状態）、または何も接続確立されていない状態（接続解除されている状態；抜き状態）、として記憶する。
【００３４】
前記録音音声データ記憶部１２ｆは、前記音声入力部１９から入力したユーザの音声データを、ＣＰＵ１１により録音して記憶する。
【００３５】
前記判定結果データ記憶部１２ｇは、前記発音レッスンデータ１２ｃ１や応対レッスンデータ１２ｃ２に応じたＣＰＵ１１での処理に従い、ユーザの音声データを解析して判定した判定結果のデータを記憶する。
【００３６】
前記表示データ記憶部２２ｈは、本学習支援装置１０の動作に応じて前記ＣＰＵ１１が表示部１２に表示させる、例えばビットマップ形式の被表示データを記憶する。
【００３７】
このように構成された学習支援装置１０は、前記ＣＰＵ１１が前記学習支援処理プログラム１２ａおよび音声認識処理プログラム１２ｃに記述された命令に従い回路各部の動作を制御し、ソフトウエアとハードウエアとが協働して動作することにより、以下の動作説明で述べるような、本体マイク１８Ｍとイヤホンマイク２１との切り替え機能を含む学習コンテンツデータ（１２ｃ）に応じた学習支援機能を実現する。
【００３８】
次に、前記構成の学習支援装置１０の動作について説明する。
【００３９】
図２は、前記学習支援装置１０の本体／イヤホンマイク設定データ記憶部１２ｄに記憶される設定データと、外部接続状態データ記憶部１２ｅに記憶される外部接続の状態データとに応じた現在の音声入出力の状態と、外部接続端子２０に対する接続を変化した後の音声入出力の状態と、を対応付けて示す図である。
【００４０】
図３は、前記学習支援装置１０のユーザ操作に応じて表示部１７に表示される本体／イヤホンマイク設定画面ＧＭｓを示す図である。
【００４１】
図３に示すように、前記本体／イヤホンマイク設定画面ＧＭｓには、音声の入力（録音）を本体マイク１９Ｍに設定する項目［本体］とイヤホンマイク２１のマイク２１ｍに設定する項目［イヤホンマイク］とが表記され、［本体］または［イヤホンマイク］の何れかの項目を、カーソルＣｕを操作して選択して特定する。この際、前記本体／イヤホンマイク設定画面ＧＭｓには、純正品の使用をユーザに促すメッセージ『イヤホンマイクを使用する場合は判定結果に影響が出ますので純正品のマイクをご利用下さい』が表記される。
【００４２】
図２に示すように、本実施形態の学習支援装置１０は、前記本体／イヤホンマイク設定データ記憶部１２ｄにおいて、本体マイク１８Ｍから音声データを入力する設定データ［本体］が記憶されている状態では、３種類の音声入出力モード［Ａ］［Ｂ］［Ｃ］を有し、イヤホンマイク２１から音声データを入力する設定データ［イヤホンマイク］が記憶されている状態では、３種類の音声入出力モード［Ｄ］［Ｅ］［Ｆ］を有する。
【００４３】
各音声入出力モード［Ａ］〜［Ｆ］について説明する。
【００４４】
モード［Ａ］：設定データ［本体］であって、イヤホンマイク（マイク付きイヤホン）２１が接続確立されている（マイク付き挿し）状態では、ユーザの音声データは本体マイク１８Ｍから入力（録音）され、再生対象の音声データはイヤホンマイク２１のイヤホン２１ｓから出力（再生）される。
【００４５】
モード［Ｂ］：設定データ［本体］であって、イヤホン（マイク無しイヤホン）２２（又は外部スピーカ２３）が接続確立されている（マイク無し（スピーカ）挿し）状態では、ユーザの音声データは本体マイク１８Ｍから入力（録音）され、再生対象の音声データはイヤホン２２または外部スピーカ２３から出力（再生）される。
【００４６】
モード［Ｃ］：設定データ［本体］であって、何も接続されてない（あらゆる外部音声入出力装置と接続解除されている；抜き）状態では、ユーザの音声データは本体マイク１８Ｍから入力（録音）され、再生対象の音声データは本体スピーカ１９Ｓから出力（再生）される。
【００４７】
モード［Ｄ］：設定データ［イヤホンマイク］であって、イヤホンマイク（マイク付きイヤホン）２１が接続確立されている（マイク付き挿し）状態では、ユーザの音声データはイヤホンマイク２１のマイク２１ｍから入力（録音）され、再生対象の音声データはイヤホンマイク２１のイヤホン２１ｓから出力（再生）される。
【００４８】
モード［Ｅ］：設定データ［イヤホンマイク］であって、イヤホン（マイク無しイヤホン）２２（又は外部スピーカ２３）が接続確立されている（マイク無し（スピーカ）挿し）状態では、ユーザの音声データは入力（録音）不可とされ、再生対象の音声データはイヤホン２２または外部スピーカ２３から出力（再生）される。
【００４９】
モード［Ｆ］：設定データ［イヤホンマイク］であって、何も接続されてない（あらゆる外部音声入出力装置と接続解除されている；抜き）状態では、ユーザの音声データは入力（録音）不可とされ、再生対象の音声データは本体スピーカ１９Ｓから出力（再生）される。
【００５０】
前記各音声入出力モード［Ａ］〜［Ｆ］において、外部接続端子２０に対する接続を変化した場合を説明する。
【００５１】
図４は、前記学習支援装置１０において音声の入力（録音）が［本体］に設定されているモード［Ｃ］からイヤホンマイク２１を挿して接続確立した場合に表示部１７に表示されるイヤホンマイクの設定ウインドウＷｃを示す図である。
【００５２】
前記モード［Ａ］または［Ｂ］の状態からイヤホンマイク２１またはイヤホン２２（外部スピーカ２３）を抜いて接続解除すると、前記モード［Ｃ］に変化する。この際、再生対象の音声データは、イヤホンマイク２１のイヤホン２１ｓまたはイヤホン２２からのユーザのみへの出力から本体スピーカ１９Ｓからの出力（再生）に切り替わるので、ユーザによる音声の聴き逃しや周囲への影響等を考慮して、その出力（再生）を一時停止する。また、ユーザがイヤホンマイク２１またはイヤホン２２（外部スピーカ２３）を抜いて接続解除する作業に伴い、ユーザが発声する音声の不連続等を考慮して、ユーザの音声の本体マイク１８Ｍからの入力（録音）も一時停止する。
【００５３】
前記モード［Ｃ］の状態からイヤホンマイク（マイク付きイヤホン）２１を挿して接続確立すると、図４に示すように、イヤホンマイクの設定ウインドウＷｃが表示部１７に表示される。前記設定ウインドウＷｃには、本体マイク１８Ｍからイヤホンマイク２１への設定変更を問い合わせるメッセージ『マイクの設定をイヤホンマイクに設定しますか？［はい／いいえ］』と共に、純正品の使用をユーザに促すメッセージ『イヤホンマイクを使用する場合は判定結果に影響が出ますので純正品のマイクをご利用下さい』が表記される。
【００５４】
ここで、例えば、挿して接続確立したイヤホンマイク２１が純正品であることから、前記設定ウインドウＷｃにおいて、ユーザがカーソルＣｕを操作して［はい］を選択して特定した場合は、前記モード［Ｄ］に変化し、前記本体／イヤホンマイク設定データ記憶部１２ｄの設定データは、［イヤホンマイク］の設定データに変更される。
【００５５】
一方、例えば、挿して接続確立したイヤホンマイク２１が非純正品であることから、前記設定ウインドウＷｃにおいて、ユーザがカーソルＣｕを操作して［いいえ］を選択して特定した場合は、前記モード［Ａ］に変化し、前記本体／イヤホンマイク設定データ記憶部１２ｄに記憶される設定データは、［本体］のまま維持される。
【００５６】
この際、再生対象の音声データは、本体スピーカ１９Ｓからの出力からイヤホンマイク２１のイヤホン２１ｓからの出力（再生）に切り替わるので、ユーザによる音声の聴き逃しを考慮して、その出力（再生）を一時停止する。また、ユーザがイヤホンマイク２１を挿して接続確立する作業に伴い、ユーザが発声する音声の不連続等を考慮して、ユーザの音声のイヤホンマイク２１または本体マイク１８Ｍからの入力（録音）も一時停止する。
【００５７】
また、前記モード［Ｃ］の状態からイヤホン（マイク無しイヤホン）２２を挿して接続確立すると、前記モード［Ｂ］に変化する。この際、再生対象の音声データは、本体スピーカ１９Ｓからの出力からイヤホン２２によるユーザのみへの出力（再生）に切り替わるだけなので、そのまま出力（再生）を継続するが、ユーザによる音声の聴き逃し等を考慮して、その出力（再生）を一時停止してもよい。また、ユーザがイヤホン２２を挿して接続確立する作業に伴い、ユーザが発声する音声の不連続等を考慮して、ユーザの音声の本体マイク１８Ｍからの入力（録音）を一時停止する。
【００５８】
前記モード［Ｄ］の状態からイヤホンマイク２１を抜いて接続解除すると、前記モード［Ｃ］に変化し、前記本体／イヤホンマイク設定データ記憶部１２ｄの設定データは、［本体］の設定データに変更される。この際、再生対象の音声データは、イヤホンマイク２１のイヤホン２１ｓからのユーザのみへの出力から本体スピーカ１９Ｓからの出力（再生）に切り替わるので、ユーザによる音声の聴き逃しや周囲への影響等を考慮して、その出力（再生）を一時停止する。また、ユーザがイヤホンマイク２１を抜いて接続解除する作業に伴い、ユーザが発声する音声の不連続等を考慮して、ユーザの音声の本体マイク１８Ｍからの入力（録音）も一時停止する。
【００５９】
前記モード［Ｅ］の状態からイヤホン２２（外部スピーカ２３）を抜いて接続解除すると、前記モード［Ｆ］に変化する。この際、再生対象の音声データは、イヤホン２２からのユーザのみへの出力から本体スピーカ１９Ｓからの出力（再生）に切り替わるので、前記モード［Ｃ］へと変化した場合と同様に、その出力（再生）を一時停止する。なお、ユーザの音声の入力（録音）は不可になる。
【００６０】
前記モード［Ｆ］の状態からイヤホンマイク（マイク付きイヤホン）２１を挿して接続確立すると、図４に示すように、イヤホンマイクへの設定ウインドウＷｃが表示部１７に表示される。前記設定ウインドウＷｃには、本体マイク１８Ｍからイヤホンマイク２１の設定要否を問い合わせるメッセージ『マイクの設定をイヤホンマイクに設定しますか？［はい／いいえ］』と共に、純正品の使用をユーザに促すメッセージ『イヤホンマイクを使用する場合は判定結果に影響が出ますので純正品のマイクをご利用下さい』が表記される。
【００６１】
ここで、例えば、挿して接続確立したイヤホンマイク２１が純正品であることから、前記設定ウインドウＷｃにおいて、ユーザがカーソルＣｕを操作して［はい］を選択して特定した場合は、前記モード［Ｄ］に変化し、前記本体／イヤホンマイク設定データ記憶部１２ｄに記憶される設定データは、［イヤホンマイク］のまま維持される。
【００６２】
一方、例えば、挿して接続確立したイヤホンマイク２１が非純正品であることから、前記設定ウインドウＷｃにおいて、ユーザがカーソルＣｕを操作して［いいえ］を選択して特定した場合は、前記モード［Ａ］に変化し、前記本体／イヤホンマイク設定データ記憶部１２ｄの設定データは、［本体］の設定データに変更される。
【００６３】
この際、再生対象の音声データは、本体スピーカ１９Ｓからの出力からイヤホンマイク２１のイヤホン２１ｓからの出力（再生）に切り替わるので、前記モード［Ｃ］からモード［Ｄ］または［Ａ］に変化した場合と同様に、その出力（再生）を一時停止する。また、ユーザの音声のイヤホンマイク２１または本体マイク１８Ｍからの入力（録音）も一時停止する。
【００６４】
また、前記モード［Ｆ］の状態からイヤホン（マイク無しイヤホン）２２を挿して接続確立すると、前記モード［Ｅ］に変化する。この際、再生対象の音声データは、前記モード［Ｃ］からモード［Ｂ］に変化した場合と同様に、本体スピーカ１９Ｓからの出力からイヤホン２２によるユーザのみへの出力（再生）に切り替わるだけなので、そのまま出力を継続するが、ユーザによる音声の聴き逃し等を考慮して、その出力（再生）を一時停止してもよい。なお、ユーザの音声の入力（録音）は不可になる。
【００６５】
図５は、前記学習支援装置１０のユーザ操作に応じたマイク選択処理を示すフローチャートである。
【００６６】
図６は、前記学習支援装置１０のマイク選択処理に応じてユーザ音声録音画面ＧＲ内に表示されるイヤホンマイク記号ＥＭと本体マイク記号ＢＭを示す図である。
【００６７】
例えば、学習コンテンツ記憶部１２ｃに記憶されている学習コンテンツデータに基づいてユーザが学習する場面において、ユーザが、前記音声入力部１８および音声出力部１９の外部接続端子２０に対してイヤホンマイク２１を接続確立する（挿す）と、ＣＰＵ１１は、図４で示したように、イヤホンマイクへの設定ウインドウＷｃを表示部１７に表示させる（ステップＳ１）。
【００６８】
前記本体／イヤホンマイク設定データ記憶部１２ｄの設定データが［本体］であるときに、前記イヤホンマイクへの設定ウインドウＷｃにおいて、外部接続端子２０に挿して接続確立したイヤホンマイク２１が純正品であることから、ユーザがイヤホンマイクに設定する項目［はい］を選択して特定すると（ステップＳ２（ＹＥＳ））、ＣＰＵ１１は、前記本体／イヤホンマイク設定データ記憶部１２ｄに記憶されている設定データを［本体］から［イヤホンマイク］に変更し、イヤホンマイク２１のマイク２１ｍからユーザの音声を入力（録音）可能な状態（モード［Ｄ］）にする（ステップＳ３）。
【００６９】
そしてＣＰＵ１１は、前記学習コンテンツデータに基づいた学習支援処理の過程において、ユーザの発声する音声の録音が必要になり、例えば、図６に示すように、ユーザ音声録音画面ＧＲを表示部１７に表示させる際には、当該画面ＧＲ上に、録音時間インジケータＴＲと共に、同図（Ａ）に示すように、イヤホンマイク記号ＥＭおよび録音中メッセージ『イヤホンマイクで録音中』ｍｅ１を表示させる（ステップＳ４）。
【００７０】
一方、前記イヤホンマイクへの設定ウインドウＷｃ（図４参照）において、外部接続端子２０に挿して接続確立したイヤホンマイク２１が非純正品であることから、ユーザがイヤホンマイクに設定しない項目［いいえ］を選択して特定すると（ステップＳ２（ＮＯ））、ＣＰＵ１１は、前記本体／イヤホンマイク設定データ記憶部１２ｄに記憶されている設定データを［本体］に維持したまま、本体マイク１８Ｍからユーザの音声を入力（録音）可能な状態（モード［Ａ］）にする（ステップＳ５）。
【００７１】
そしてＣＰＵ１１は、前記学習コンテンツデータに基づいた学習支援処理の過程において、ユーザの発声する音声の録音が必要になり、例えば、図６に示すように、ユーザ音声録音画面ＧＲを表示部１７に表示させる際には、当該画面ＧＲ上に、録音時間インジケータＴＲと共に、同図（Ｂ）に示すように、本体マイク記号ＢＭおよび録音中メッセージ『本体マイクで録音中』ｍｅ２を表示させる（ステップＳ６）。
【００７２】
また、前記本体／イヤホンマイク設定データ記憶部１２ｄの設定データが［イヤホンマイク］であるときにも、ユーザが、前記音声入力部１８および音声出力部１９の外部接続端子２０に対してイヤホンマイク２１を接続確立する（挿す）と、ＣＰＵ１１は、図４で示したように、イヤホンマイクへの設定ウインドウＷｃを表示部１７に表示させる（ステップＳ１）。
【００７３】
前記イヤホンマイクへの設定ウインドウＷｃにおいて、外部接続端子２０に挿して接続確立したイヤホンマイク２１が純正品であることから、ユーザがイヤホンマイクに設定する項目［はい］を選択して特定すると（ステップＳ２（ＹＥＳ））、ＣＰＵ１１は、前記本体／イヤホンマイク設定データ記憶部１２ｄに記憶されている設定データを［イヤホンマイク］に維持したまま、イヤホンマイク２１のマイク２１ｍからユーザの音声を入力（録音）可能な状態（モード［Ｄ］）にする（ステップＳ３）。
【００７４】
そしてＣＰＵ１１は、前記学習コンテンツデータに基づいた学習支援処理の過程において、ユーザの発声する音声の録音が必要になり、例えば、図６に示すように、ユーザ音声録音画面ＧＲを表示部１７に表示させる際には、当該画面ＧＲ上に、録音時間インジケータＴＲと共に、同図（Ａ）に示すように、イヤホンマイク記号ＥＭおよび録音中メッセージ『イヤホンマイクで録音中』ｍｅ１を表示させる（ステップＳ４）。
【００７５】
一方、前記イヤホンマイクへの設定ウインドウＷｃ（図４参照）において、外部接続端子２０に挿して接続確立したイヤホンマイク２１が非純正品であることから、ユーザがイヤホンマイクに設定しない（本体マイクに設定する）項目［いいえ］を選択して特定すると（ステップＳ２（ＮＯ））、ＣＰＵ１１は、前記本体／イヤホンマイク設定データ記憶部１２ｄに記憶されている設定データを［イヤホンマイク］から［本体］に変更し、本体マイク１８Ｍからユーザの音声を入力（録音）可能な状態（モード［Ａ］）にする（ステップＳ５）。
【００７６】
そしてＣＰＵ１１は、前記学習コンテンツデータに基づいた学習支援処理の過程において、ユーザの発声する音声の録音が必要になり、例えば、図６に示すように、ユーザ音声録音画面ＧＲを表示部１７に表示させる際には、当該画面ＧＲ上に、録音時間インジケータＴＲと共に、同図（Ｂ）に示すように、本体マイク記号ＢＭおよび録音中メッセージ『本体マイクで録音中』ｍｅ２を表示させる（ステップＳ６）。
【００７７】
図７は、前記学習支援装置１０による発音レッスンデータ１２ｃ１に基づいた学習支援処理の一例を示す図である。
【００７８】
ここでは、前記本体／イヤホンマイクの設定データ（１２ｄ）は［本体］で、音声入出力モード［Ａ］［Ｂ］［Ｃ］の何れかの状態にあると仮定する。
【００７９】
ユーザ操作に応じて、表示部１７に表示された学習コンテンツデータ１２ｃ１，１２ｃ２，…の一覧画面（図示せず）において、発音レッスンデータ１２ｃ１が指定されると、ＣＰＵ１１は、図７（Ａ）に示すように、『単語で判定』と『文章で判定』の選択項目を表記した発音レッスン初期画面Ｇ１を表示部１７に表示させる。
【００８０】
前記発音レッスン初期画面Ｇ１において、ユーザ操作に応じて、『文章で判定』の項目が指定されると、ＣＰＵ１１は、図７（Ｂ）に示すように、お手本の文章『Do you like it?』と発音要求メッセージ『お手本に続いて発音してください』を表記したお手本画面Ｇ２を表示部１７に表示させ、当該お手本の文章『Do you like it?』の模範の発音の音声データを音声出力部１９から出力（再生）させる。
【００８１】
前記お手本画面Ｇ２に応じた模範の音声データの出力（再生）が終了すると、ＣＰＵ１１は、図７（Ｃ）に示すように、録音中メッセージ『録音しています』を表記したユーザ音声録音画面Ｇ３を表示部１７に表示させ、ユーザに対して、前記模範の発音に倣った発音を促す。この際、前記ユーザ音声録音画面Ｇ３には、本体マイク記号ＢＭが表示され、ユーザに対して現在は本体マイク１８Ｍによる録音中であることが報知される。
【００８２】
前記ユーザが発音した音声の録音が終了すると、ＣＰＵ１１は、図７（Ｄ）に示すように、解析中メッセージ『解析中』を表記したユーザ音声解析画面Ｇ４を表示させ、録音音声データ記憶部１２ｆに録音されたユーザの音声データを、音声認識すると共に、前記模範の発音の音声データとの比較によりその発音品質等を解析して点数として判定し、判定結果の点数を判定結果データ記憶部１２ｇに記憶させる。
【００８３】
すると、ＣＰＵ１１は、図７（Ｅ）に示すように、前記判定結果データ記憶部１２ｇに記憶されている判定結果の点数（例えば“８４点”）を表記した発音判定画面Ｇ５を表示部１７に表示させる。
【００８４】
前記発音判定画面Ｇ５において、表記されている複数の項目のうち［次の文章］がユーザ操作に応じて指定されると、ＣＰＵ１１は、図７（Ｆ）に示すように、次のお手本の文章『Can I take your order?』と発音要求メッセージを表記した次のお手本画面Ｇ２を表示部１７に表示させ、模範の発音の音声データを音声出力部１９から出力（再生）させる。
【００８５】
このように、前記学習コンテンツ記憶部１２ｃに記憶されている各学習コンテンツデータうち、少なくとも発音レッスンデータ１２ｃ１や応対レッスンデータ１２ｃ２は、ユーザの発音した音声データを録音して解析する必要があるため、予めその録音の仕様や音響特性が明らかである純正品の本体マイク１８Ｍあるいはイヤホンマイク２１を使用した方が、純正品ではないイヤホンマイク（マイク付きイヤホン）２１のマイク２１ｍやその他の外部マイク使用した場合に比べて、ユーザの音声データをより正確に解析することができ、ひいては、より正確な前記判定結果を求めることができる。
【００８６】
このため、本実施形態の学習支援装置１０では、前記音声入力部１８および音声出力部１９の外部接続端子２０にイヤホンマイク２１が挿し込まれて接続確立した場合に、ユーザの発音した音声データを純正品のマイクで録音して貰うよう、前記イヤホンマイクへの設定ウインドウＷｃを表示させる必要がある。
【００８７】
したがって、前記構成の学習支援装置１０によれば、ＣＰＵ１１により、音声入力部１８および音声出力部１９の外部接続端子２０に対してイヤホンマイク（マイク付きイヤホン）２１が接続確立された（挿し込まれた）ことが検知されると、純正品のマイクの使用を推奨しつつ音声入力の対象をイヤホンマイク２１に設定するか否かをユーザに特定させるイヤホンマイクへの設定ウインドウＷｃを表示部１７に表示させる。
【００８８】
これにより、学習コンテンツ（１２ｃ）に応じた学習に伴い、イヤホンマイク２１から学習のための音声を聞くようにした場合であっても、入力（録音）を要するユーザ音声の解析をより正確に行い、より正確な判定結果を求めることができるよう、イヤホンマイク２１が純正品であるときはイヤホンマイク２１からの音声入力状態へ、そうでないときには本体マイク１８Ｍからの音声入力状態へと、ユーザの操作に応じて切り替えることができる。
【００８９】
また、前記構成の学習支援装置１０によれば、ＣＰＵ１１は、本体マイク１８Ｍからユーザの音声を入力（録音）しているときには、その旨を、本体マイク記号ＢＭおよび録音中メッセージ『本体マイクで録音中』ｍｅ２により識別表示させ、イヤホンマイク２１からユーザの音声を入力（録音）しているときには、その旨を、イヤホンマイク記号ＥＭおよび録音中メッセージ『イヤホンマイクで録音中』ｍｅ１により識別表示させる。
【００９０】
これにより、ユーザ音声の入力（録音）を要する状況で、本体マイク１８Ｍから入力しているのか、イヤホンマイク２１から入力しているのかを、分かりやすくすることができる。
【００９１】
さらに、前記構成の学習支援装置１０によれば、前記本体／イヤホンマイク設定データ（１２ｄ）により、音声入力の対象が本体マイク１８Ｍに設定されている状態と、イヤホンマイク２１に設定されている状態と、の何れにあっても、ＣＰＵ１１は、前記音声入力部１８および音声出力部１９の外部接続端子２０に挿し込まれて接続確立しているイヤホンマイク２１、またはイヤホン２２、または外部スピーカ２３の抜き出し（接続解除）を検知すると、音声出力の対象を当該イヤホンマイク２１、またはイヤホン２２、または外部スピーカ２３、から本体スピーカ１９Ｓに自動的に切り替えることができる。
【００９２】
（変形例）
図８は、変形例の前記学習支援装置１０のユーザ操作に応じたマイク選択処理を示すフローチャートである。
【００９３】
前記実施形態において、図５を参照して説明したユーザ操作に応じたマイク選択処理では、本体／イヤホンマイク設定データ記憶部１２ｄの設定データが、［本体］および［イヤホンマイク］の何れに設定されている場合でも、外部接続端子２０にイヤホンマイク２１を接続確立した（挿した）ときには、図４で示したイヤホンマイクへの設定ウインドウＷｃを表示部１７に表示させて、挿して接続確立したイヤホンマイク２１が純正品であるか否かに応じて、マイクの設定をイヤホンマイクに設定するか否かをユーザに選択させる構成とした。
【００９４】
これに対し、図８における変形例のユーザ操作に応じたマイク選択処理で示すように、外部接続端子２０にイヤホンマイク２１を接続確立した（挿した）ときには、ＣＰＵ１１により、本体／イヤホンマイク設定データ記憶部１２ｄの設定データが、［本体］に設定されているか否かを判断し（ステップＳ０）、［本体］に設定されている場合には（ステップＳ０（ＹＥＳ））、前記実施形態と同様に、図４で示したイヤホンマイクへの設定ウインドウＷｃを表示部１７に表示させて、挿して接続確立したイヤホンマイク２１が純正品であるか否かに応じて、マイクの設定をイヤホンマイクに設定するか否かをユーザに選択させる（ステップＳ１）。
【００９５】
そして、前記本体／イヤホンマイク設定データ記憶部１２ｄの設定データが、［イヤホンマイク］に設定されている場合には（ステップＳ０（ＮＯ））、ＣＰＵ１１は、前記イヤホンマイクへの設定ウインドウＷｃを表示させることなく、［イヤホンマイク］の設定データを維持する（ステップＳ３，Ｓ４）構成としてもよい。この場合、挿して接続確立したイヤホンマイク２１が純正品であれば、ユーザにわざわざ前記イヤホンマイクの設定を行わせることなく、設定ユーザの音声データをより正確に解析することができ、ひいては、より正確な前記判定結果を求めることができる。
【００９６】
なお、前記実施形態において記載した学習支援装置１０による各処理の手法、すなわち、図２に示す入出力モードの設定および切り替え処理、図５あるいは図８のフローチャートに示すユーザ操作に応じたマイク選択処理などの各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の記録媒体に格納して配布することができる。
【００９７】
また、前記各手法を実現するためのプログラムのデータは、プログラムコードの形態として通信ネットワークＮ上を伝送させることができ、このプログラムデータを、通信ネットワークＮに接続された電子機器のコンピュータに通信部によって取り込むことで、前述したマイク切り替え機能を含む学習支援機能を実現することもできる。
【００９８】
本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９９】
以下に、本願出願の当初の特許請求の範囲に記載された発明を付記する。
【０１００】
［付記１］
装置本体に設けられた第１の音声入力部および第１の音声出力部と、
外部の第２の音声入力部が装置本体へ接続確立したことに応じて、前記第１の音声入力部または前記第２の音声入力部のいずれかを特定する操作を受け付ける制御部と、
を備えた録音装置。
［付記２］
前記制御部は、
前記第１の音声入力部を特定する前記操作を受け付け、且つ、前記第１の音声入力部により音声の入力を実行させるときに、前記第１の音声入力部に対応する第１の識別表示を表示部に表示させ、
前記第２の音声入力部を特定する前記操作を受け付け、且つ、前記第２の音声入力部により音声の入力を実行させるときに、前記第２の音声入力部に対応し前記第１の識別表示とは異なる第２の識別表示を前記表示部に表示させる、
付記１に記載の録音装置。
［付記３］
前記制御部は、
前記第１の音声入力部を特定する前記操作を受け付けた場合、前記第２の音声入力部が前記装置本体へ接続確立した状態にかかわらず、前記第２の音声入力部による音声の入力を禁止させ、前記第１の音声入力部による音声の入力を許容させる、
付記１または付記２に記載の録音装置。
［付記４］
前記制御部は、
受け付けた前記操作により特定された前記音声入力部が前記第１の音声入力部および前記第２の音声入力部のいずれであるかにかかわらず、
前記第２の音声入力部が前記装置本体との接続解除状態から接続確立状態となった場合に、前記第１の音声入力部または前記第２の音声入力部のいずれかを特定する操作を受け付ける、
付記１ないし付記３のいずれか１項に記載の録音装置。
［付記５］
前記制御部は、
前記第１の音声入力部を特定する前記操作を受け付けた後に、前記第２の音声入力部が前記装置本体との接続解除状態から接続確立状態となった場合に、前記第１の音声入力部または前記第２の音声入力部のいずれかをユーザに特定させる音声入力特定部を表示部に表示させ、
前記第２の音声入力部を特定する前記操作を受け付けた後に、前記第２の音声入力部が前記装置本体との接続解除状態から接続確立状態となった場合に、前記音声入力特定部を表示部に表示させない、
付記１ないし付記３のいずれか１項に記載の録音装置。
［付記６］
前記制御部は、
前記第１の音声入力部または前記第２の音声入力部のいずれかを特定する前記操作を受け付けた後に、前記装置本体との接続確立状態にある外部の第２の音声出力部が当該装置本体との接続解除状態となった場合、自動的に、前記第１の音声出力部による音声の出力を許容させる、
付記１ないし付記５のいずれか１項に記載の録音装置。
【符号の説明】
【０１０１】
１０  …学習支援装置
１１  …ＣＰＵ
１２  …記憶部
１２ａ…学習支援処理プログラム
１２ｂ…音声認識処理プログラム
１２ｃ…学習コンテンツ記憶部
１２ｄ…本体／イヤホンマイク設定データ記憶部
１２ｅ…外部接続状態データ記憶部
１２ｆ…録音音声データ記憶部
１２ｇ…判定結果データ記憶部
１２ｈ…表示データ記憶部
１７  …表示部
１８  …音声入力部
１８Ｍ…本体マイク
１９  …音声出力部
１９Ｓ…本体スピーカ
２０  …外部接続端子
２１  …イヤホンマイク（マイク付きイヤホン）
２２  …イヤホン（マイク無しイヤホン）
２３  …外部スピーカ
ＧＭｓ…本体／イヤホンマイク設定画面
Ｗｃ  …イヤホンマイクへの設定ウインドウ
ＥＭ  …イヤホンマイク記号
ＢＭ  …本体マイク記号
ｍｅ１…イヤホンマイクでの録音中メッセージ
ｍｅ２…本体マイクでの録音中メッセージ。
【図１】
2019062520.tif 000003
【図２】
2019062520.tif 000004
【図３】
2019062520.tif 000005
【図４】
2019062520.tif 000006
【図５】
2019062520.tif 000007
【図６】
2019062520.tif 000008
【図７】
2019062520.tif 000009
【図８】
2019062520.tif 000010